(57)【要約】【課題】電気粘性流体を利用した減衰装置に横力が作用した場合にあっても、各電極が接触したり放電したりすることによる弊害を抑制することにある。【解決手段】固定部材に対し可動部材が移動することにより一対の電極間に電気粘性流体を通過させ可動部材の移動を抑制する減衰作用を発現する減衰装置の電極構造において、一方の電極１の少なくとも一端側に一方の電極１と他方の電極２との間の隙間が拡幅するように拡幅部１ａ、１ｂを設けて、一方の電極が他方の電極に対して傾いても各電極同士が接触しないようにした。【選択図】        図１
2004169734.tif 000002
【特許請求の範囲】
【請求項１】
固定部材に対し可動部材が移動することにより一対の電極間に電気粘性流体を通過させ可動部材の移動を抑制する減衰作用を発現する減衰装置の電極構造において、一方の電極の少なくとも一端側に一方の電極と他方の電極との間の隙間が拡幅するように拡幅部を設けたことを特徴とする減衰装置の電極構造。
【請求項２】
上記拡幅部が、一方の電極と他方の電極との間の隙間が拡幅するように彎曲する彎曲面であることを特徴とする請求項１に記載の減衰装置の電極構造。
【請求項３】
上記拡幅部が、一方の電極と他方の電極との間の隙間が拡幅するように勾配するテーパ面であることを特徴とする請求項１に記載の減衰装置の電極構造。
【請求項４】
一方の電極の端部を拡幅部に連続する円弧形状としたことを特徴とする請求項１から３のいずれかに記載の減衰装置の電極構造。
【請求項５】
シリンダと、シリンダ内に移動自在に挿入されたピストンロッドと、ピストンロッドにピストンを備え、ピストンの外周に一方の電極を形成し、シリンダを他方の電極として、ピストンとシリンダの間に電気粘性流体を通過させピストンの移動を抑制する減衰作用を発現する片ロッド型あるいは両ロッド型の減衰装置において、ピストンに形成した一方の電極の少なくとも一端側にピストンとシリンダとの間の隙間が拡幅するように拡幅部を設けたことを特徴とする減衰装置。
【請求項６】
上記拡幅部が、ピストンとシリンダとの間の隙間が拡幅するように彎曲する彎曲面であることを特徴とする請求項５に記載の減衰装置。
【請求項７】
上記拡幅部が、ピストンとシリンダとの間の隙間が拡幅するように勾配するテーパ面であることを特徴とする請求項５に記載の減衰装置。
【請求項８】
一方の電極の端部を拡幅部に連続する円弧形状としたことを特徴とする請求項５から７のいずれかに記載の減衰装置。
【発明の詳細な説明】
【０００１】
【発明の属する技術分野】
本発明は、固定部材に対し可動部材が移動することにより一対の電極間に電気粘性流体を通過させ可動部材の移動を抑制する減衰作用を発現する減衰装置および減衰装置の電極構造の改良に関する。
【０００２】
【従来の技術】
一般に電気粘性流体を利用した減衰装置は、一対の電極間に電気粘性流体を通過させるとともに、各電極に電圧を印加し、電気粘性流体の粘度を増大させて、電気粘性流体が各電極間の隙間を通過するときの流れ抵抗を増大させることにより減衰作用を発現するものである。
【０００３】
そして、この種電気粘性流体を利用した減衰装置においては、各電極間の隙間が狭ければ狭いほど高減衰力を発揮し、電極同士が対向している部分が長ければ長いほど高減衰力を発揮する。したがって、高減衰力を得ようとした場合には、上記隙間をできるだけ狭くし、電極の長さを長くする方が良いが、たとえば、ピストンとシリンダを電極とした電気粘性流体を利用した液圧型の減衰装置にあっては、軸ぶれ等によりピストンとシリンダが接触してしまう恐れがあり、この接触により電極間で通電してしまい電気粘性流体に電圧を印加できなくなり減衰力を発生できず、通常ピストンのみに電圧を印加してあるので、接触するとシリンダに電流が流れてしまい場合によっては整備員等が感電してしまったり、減衰装置に制御装置が設けられている場合にはシリンダを介して当該制御装置には過電流が流れて損傷してしまったりする恐れもある。また、接触せずとも軸ぶれ等により隙間が狭くなり、電気粘性流体内に混入している気泡が分離出現した場合には放電の恐れもあり、放電により火花が発生しピストンとシリンダが固着してしまう恐れもある。
【０００４】
そこで、上記した種々の弊害を防止する試みがある（たとえば、特許文献１参照）。この電気粘性流体を利用した減衰装置は、図２に示すように、いわゆる両ロッド型の減衰装置であり、シリンダ３２にピストンロッド３３を挿入し、ピストンロッド３３の両端側をブッシュ３７、３８で軸支するとともに、その中間部に電線４０を介して電圧が印加される電極たるピストン３１を備えて得いるものである。
【０００５】
【特許文献１】
特開２００１−３２８７４号公報（第３頁右欄第３７行目から第５頁右欄第２５行目、図１）
【０００６】
【発明が解決しようとする課題】
しかしながら、上記した試みにあっても、すなわち、両ロッド型に形成され、ピストンロッド３３の両端がブッシュ３７、３８に軸支された減衰装置にあっても、シリンダ３２やピストンロッド３３に横力が作用すると、ピストンロッド３３は両端のブッシュ３７、３８から横力に対する反力が負荷され、ピストンロッド３３が曲がってしまう場合がある。
【０００７】
すると、特に上記隙間を狭くし電極たるピストンの軸方向長さを長くした場合には、ピストンの端部とシリンダが接触したり放電したりして、上記弊害を招来する場合がある。
【０００８】
したがって、電気粘性流体を利用した減衰装置を単に両ロッド型に形成しただけでは、上記弊害を完全には防止できない恐れがあると指摘される危惧がある。
【０００９】
そこで、本発明は、上記不具合を改善するために創案されたものであって、その目的とするところは、電気粘性流体を利用した減衰装置に横力が作用した場合にあっても、各電極が接触したり放電したりすることによる弊害を抑制することにある。
【００１０】
【課題を解決するための手段】
本発明の第１の課題解決手段における減衰装置の電極構造は、固定部材に対し可動部材が移動することにより一対の電極間に電気粘性流体を通過させ可動部材の移動を抑制する減衰作用を発現する減衰装置の電極構造において、一方の電極の少なくとも一端側に一方の電極と他方の電極との間の隙間が拡幅するように拡幅部を設けたことを特徴とする。
【００１１】
したがって、この場合には、一方の電極の少なくとも一端側に上記隙間が拡幅するように拡幅部を設けているので、たとえ、他方の電極に対し一方の電極が傾くことがあっても、他方の電極と一方の電極が接触することが防止される。
【００１２】
したがって、各電極の接触防止が可能であるので、電気粘性流体に電圧を印加できなくなり減衰作用を呈することができなくなるという事態を回避することが可能である。
【００１３】
また、他方の電極に対し一方の電極が傾くことがあっても、隙間が拡幅するように拡幅部を設けているので、隙間が極端に狭くなるという事態が回避されるので、放電による各電極同士が固着してしまうことも防止されるので、この電極構造を適用した減衰装置にあっては、その損傷が防止され、また、上記固着に起因する減衰作用不全も防止されることとなる。
【００１４】
また、本発明の第２の課題解決手段における減衰装置の電極構造は、第１の課題解決手段において、上記拡幅部が、一方の電極と他方の電極との間の隙間が拡幅するように彎曲する彎曲面であることを特徴とする。
【００１５】
さらに、本発明の第３の課題解決手段における減衰装置の電極構造は、第１の課題解決手段において、上記拡幅部が、一方の電極と他方の電極との間の隙間が拡幅するように勾配するテーパ面であることを特徴とする。
【００１６】
この場合には、第１の課題解決手段の作用効果をそうするとともに、電気粘性流体が一方の電極と他方の電極との隙間を通過するときに先ず彎曲面またはテーパ面を通過することになるので、電気粘性流体の流れを円滑にすることができ、電気粘性流体内に混入した気泡が分離出現することが抑制される。
【００１７】
したがって、電気粘性流体内に混入した気泡が分離出現することを抑制する事ができるので、気泡出現に起因する放電による火花の発生をも抑制できる。すなわち、上記火花の発生による各電極同士の固着が防止される。
【００１８】
そして、本発明の第４の課題解決手段における減衰装置の電極構造は、第１、第２または第３の課題解決手段において、一方の電極の端部を拡幅部に連続する円弧形状としたことを特徴とする。
【００１９】
この場合には、第１の課題解決手段の作用効果をそうするとともに、特に一方の電極の端部を拡幅部に連続する円弧形状としたので、より一層電気粘性流体の流れを円滑にすることができ、上記隙間を通過した電気粘性流体が渦巻くことも抑制する事ができるので、より一層上記した気泡出現の抑制効果が高い。
【００２０】
したがって、電気粘性流体内に混入した気泡が分離出現することを抑制する事ができるので、気泡発生に起因する放電による火花の発生をも抑制できる。すなわち、より一層上記火花の発生による各電極同士の固着が防止される。
【００２１】
さらに、本発明の第５の課題解決手段における減衰装置は、シリンダと、シリンダ内に移動自在に挿入されたピストンロッドと、ピストンロッドにピストンを備え、ピストンの外周に一方の電極を形成し、シリンダを他方の電極として、ピストンとシリンダの間に電気粘性流体を通過させピストンの移動を抑制する減衰作用を発現する片ロッド型あるいは両ロッド型の減衰装置において、ピストンに形成した一方の電極の少なくとも一端側にピストンとシリンダとの間の隙間が拡幅するように拡幅部を設けたことを特徴とする。
【００２２】
この減衰装置にあっては、ピストン外周に形成した一方の電極の少なくとも一端側に上記隙間が拡幅するように拡幅部を設けているので、たとえ、減衰装置に横力が負荷され、ピストンロッドが曲がり、シリンダに対しピストンが傾くことがあっても、シリンダと一方の電極が接触することが防止される。
【００２３】
したがって、シリンダと一方の電極との接触防止が可能であるので、電気粘性流体に電圧を印加できなくなり減衰作用を呈することができなくなるという事態を回避することが可能である。
【００２４】
また、シリンダに対しピストンが傾くことがあっても、隙間が拡幅するように拡幅部を設けているので、隙間が極端に狭くなるという事態が回避されるので、放電による各電極同士が固着してしまうことも防止されるので、この減衰装置にあっては、その損傷が防止され、また、上記固着に起因する減衰作用不全も防止されることとなる。
【００２５】
さらに、上記接触や固着が防止されるので、シリンダに電流が流れることによる、整備員等が感電したり、制御機器やその他の周辺機器に過電流が流れ、それら機器を損傷したりすることが防止される。
【００２６】
そして、また、本発明の第６の課題解決手段における減衰装置は、第５の課題解決手段において、上記拡幅部が、ピストンとシリンダとの間の隙間が拡幅するように彎曲する彎曲面であることを特徴とする。
【００２７】
また、さらに、本発明の第７の課題解決手段における減衰装置は、第５の課題解決手段において、上記拡幅部が、ピストンとシリンダとの間の隙間が拡幅するように勾配するテーパ面であることを特徴とする。
【００２８】
この場合には、第５の課題解決手段の作用効果をそうするとともに、電気粘性流体がピストンとシリンダとの隙間を通過するときに先ず彎曲面またはテーパ面を通過することになるので、電気粘性流体の流れを円滑にすることができ、電気粘性流体内に混入した気泡が分離出現することが抑制される。
【００２９】
したがって、電気粘性流体内に混入した気泡が分離出現することを抑制する事ができるので、気泡出現に起因する放電による火花の発生をも抑制できる。すなわち、上記火花の発生によるシリンダと一方の電極同士の固着が防止される。
【００３０】
そして、さらに、本発明の第８の課題解決手段における減衰装置は、第５、第６または第７の課題解決手段において、一方の電極の端部を拡幅部に連続する円弧形状としたことを特徴とする。
【００３１】
この場合には、第５の課題解決手段の作用効果をそうするとともに、特に一方の電極の端部を拡幅部に連続する円弧形状としたので、より一層電気粘性流体の流れを円滑にすることができ、上記隙間を通過した電気粘性流体が渦巻くことも抑制する事ができるので、より一層上記した気泡出現を抑制効果が高い。
【００３２】
したがって、電気粘性流体内に混入した気泡が分離出現することを抑制する事ができるので、気泡発生に起因する放電による火花の発生をも抑制できる。すなわち、より一層上記火花の発生による各電極同士の固着が防止される。
【００３３】
【発明の実施の形態】
本発明の実施の形態における減衰装置の基本形態は、図１に示すように、シリンダ２と、シリンダ２内に移動自在に挿入されたピストンロッド３と、ピストンロッド３にピストンＰを備え、ピストンＰの外周に一方の電極たる電極１を形成し、シリンダ２を他方の電極として、ピストン１とシリンダ２の間に電気粘性流体を通過させ減衰作用を発現する両ロッド型の減衰装置として構成されている。
【００３４】
以下、詳細に説明すると、シリンダ２は筒状であって、その側方にリザーバ１３が接続されている。また、その上下端にはピストンロッド３を支持するブッシュ７、８が設けられるとともに、各ブッシュ７、８よりシリンダ２内側にシールＳを設けてシリンダ２内に電気粘性流体を液蜜状態下に充填できるようにしてある。なお、ブッシュ７、８よりシリンダ２内側にシールＳを設けているのは、電気粘性流体が特に誘電性の微粒子を油中に分散させたものである場合には、ブッシュをシールよりシリンダ内側に配在させると、ブッシュとブッシュに摺接するピストンロッドとの間に微粒子が入り込み、ブッシュやピストンロッドが摩耗してしまうからである。
【００３５】
また、リザーバ１３内にはフリーピストン９が摺動自在に挿入されており、このフリーピストン９がリザーバ１３内に気体室を画成している。さらにリザーバ１３とシリンダ２とが接続されている部位の近傍には弁（付示せず）がフリーピストン９の脈動防止のために設けられている。なお、リザーバ１３は電気粘性流体の温度変化による膨張や収縮を補償している。
【００３６】
そして、ピストンロッド３は、上述のようにその上下をシリンダ３の上下端に配在のブッシュ７、８で支持されて、シリンダ２に対し摺動自在に挿入され、その中央部にはピストンＰが設けられ、その内部にはピストンロッド３の先端側からピストン１が設けられた部位に延びる電線１０が配在されている。なお、詳しくは図示しないが、ピストンロッド３と電線１０は絶縁されている。
【００３７】
ピストンＰは、絶縁部材４と一方の電極たる電極１と絶縁部材４をピストンロッド３に固定するための係止部材５、６とで構成され、電極１は、絶縁部材４に固着されており、ピストンロッド３に設けた上下の係止部材６、５で絶縁部材４を挟持することにより、ピストンロッド３に固定されている。また、電極１は、絶縁部材４に設けた孔を介してピストンロッド３内部に配在の上記電線１０と接続されており、この電線１０を介して減衰装置の外部から電極１に電圧を印加することが可能である。
【００３８】
また、電極１は、導電性材料で形成され横断面が概ね太鼓胴部形状であり、その外周の図中上下側にシリンダ２から遠ざかるように彎曲した拡幅部たる彎曲面１ａ、１ｂを設けて、中央が凸となる円弧状として、その内周に突起を設けて絶縁部材４に嵌着している。したがって、ピストンロッド３と電極１は、絶縁部材４によって絶縁されている。さらに、電極１の外周側端部は上記彎曲面１ａ、１ｂに連続した円弧形状としてあり、シリンダ２に対して所定の隙間を設けている。
【００３９】
なお、図示したところでは電極１には拡幅部たる彎曲面１ａ、１ｂを設けて、その断面をその中央を凸とする円弧状の形状としているが、本発明の意図するところは一方の電極が他方の電極に対して傾く事態となっても各電極同士が接触することを防止することにあるので、中央部分を平らにして、彎曲面の長さを短くしても良いし、拡幅部を他の形状としても良い。なぜならば、電極が傾いて接触する場合には必ず電極の端部が最先に接触するからである。図示はしないが彎曲面にかえてシリンダから遠ざかるように勾配するテーパ面としても良く、両端側のテーパ面を連続させた断面を中央を凸とする三角形状としても良い。
【００４０】
さらに、電極１をピストンロッド３から絶縁する目的で絶縁部材４を介して電極１をピストンロッド３に取付けているが、ピストンＰ全体を電極としても良く、この場合にはピストンロッド自体を絶縁材料としても良いし、他の方法でピストンロッドと電極とを絶縁しても良い。
【００４１】
また、本実施の形態においては、減衰装置を両ロッド型に構成しているのでピストンロッド３が上下のブッシュ７、８で曲がる恐れがあることを考慮して電極１の両端側に拡幅部を設けているが、片ロッド型の減衰装置に適用する際は、ピストンロッドが設けられていないほうの一端側のみに拡幅部を設けても良い。この場合には、この減衰装置が横力を受けた場合にピストンロッドがブッシュ近傍で曲がるので、シリンダと接触するのは、ピストンロッドが設けられていないほうの一端側になるから、一端側のみに拡幅部を設けても接触防止という目的を達成できる。
【００４２】
つづいて、その動作について説明すると、ピストンロッド３がシリンダ２内に対し図中上下方向に移動すると、シリンダ２内の電気粘性流体がピストンＰ外周に形成された一方の電極１とシリンダ２との隙間を上方もしくは下方に移動することとなるが、このとき電極１に電圧を印加すると、電極１とシリンダ２との間に電圧差が生じ、電気粘性流体の粘度が上昇し、上記隙間を電気粘性流体が通過するときの流れの抵抗が減衰作用を発現することとなる。なお、電極１はシリンダ２に対し絶縁されているので、シリンダ２には電流が流れない。
【００４３】
ここで、減衰作用は、印加する電圧の大きさや上記隙間の巾やピストンの図中上下長さに依存するが、高減衰力を得たい場合には印加電圧を大きくするか、上記隙間を狭くするか、ピストンの軸方向長さを長くすることが望ましい。また、本実施の形態においては、ピストンの上下側がシリンダから遠ざかる形状としているので、印加電圧を一定とした場合、電極外周の形状が平らなものに比較して、減衰力は小さくなるので、その分電極の上下長さを長くすれば良いが、その場合には、ピストンがあるいはシリンダが傾いた場合に一方の電極とシリンダが接触しないように彎曲面の形状を十分に隙間の巾が確保できるようなものとすることが望ましい。
【００４４】
また、本実施の形態においては、電極１の図中上下端側に彎曲面１ａ、１ｂを設けて、その外周側の断面形状を中央凸とした円弧形状としたので、ピストンロッドやシリンダに横力が作用して、ピストンロッドが曲がってしまう事態がとなって、シリンダに対しピストンが傾いても、他方の電極たるシリンダと一方の電極が接触することが防止される。
【００４５】
したがって、シリンダと一方の電極との接触防止が可能であるので、電気粘性流体に電圧を印加できなくなり減衰作用を呈することができなくなるという事態を回避することが可能である。
【００４６】
また、シリンダに対しピストンが傾くことがあっても、隙間が拡幅するように彎曲面を設けているので、隙間が極端に狭くなるという事態が回避されるので、放電による各電極同士が固着してしまうことも防止されるので、この減衰装置にあっては、その損傷が防止され、また、上記固着に起因する減衰作用不全も防止されることとなる。
【００４７】
さらに、上記接触や固着が防止されるので、シリンダに電流が流れることによる、整備員等が感電したり、制御機器やその他の周辺機器に過電流が流れ、それら機器を損傷したりすることが防止される。
【００４８】
また、電気粘性流体がピストンとシリンダとの隙間を通過するときに先ず彎曲面を通過することになるので、電気粘性流体の流れを円滑にすることができ、さらに、特に電極の端部を彎曲面に連続する円弧形状としたので、上記隙間を通過した電気粘性流体が渦巻くことも抑制する事ができるので、より一層電気粘性流体内に混入した気泡が分離出現することが抑制される。
【００４９】
したがって、電気粘性流体内に混入した気泡が分離出現することを抑制する事ができるので、気泡出現に起因する放電による火花の発生をも抑制できる。すなわち、一方の電極とシリンダとの隙間が狭くなる場合のみならず、気泡出現によって生じる火花を原因とする一方の電極とシリンダ同士の固着をも防止することができる。
【００５０】
なお、本実施の形態においては、この発明がいわゆる両ロッド型の減衰装置に具現化された場合について説明したが、片ロッド型の減衰装置に具現化されてもその効果は失われず、また、一方の電極が他方の電極に対し傾く恐れのある部位に具現化されても、上記した作用効果を発揮可能なことは勿論であり、各電極が様々な形状にあってもおおよそ一方の電極が他方の電極に対し傾き電極の端部が接触する可能性のある場合にはその作用効果を発揮可能である。さらに、一方の電極が多角形の場合であって、その多角形の各辺がそれぞれ他方の電極に対し、接触してしまう恐れのある場合には、その各辺に拡幅部を設けても良いことは言うまでもない。
【００５１】
【発明の効果】
上述のように、請求項１から４の発明によれば、一方の電極の少なくとも一端側に上記隙間が拡幅するように拡幅部を設けているので、たとえ、他方の電極に対し一方の電極が傾くことがあっても、他方の電極と一方の電極が接触することが防止される。
【００５２】
したがって、各電極の接触防止が可能であるので、電気粘性流体に電圧を印加できなくなり減衰作用を呈することができなくなるという事態を回避することが可能である。
【００５３】
また、他方の電極に対し一方の電極が傾くことがあっても、隙間が拡幅するように拡幅部を設けているので、隙間が極端に狭くなるという事態が回避されるので、放電による各電極同士が固着してしまうことも防止されるので、この電極構造を適用した減衰装置にあっては、その損傷が防止され、また、上記固着に起因する減衰作用不全も防止されることとなる。
【００５４】
また、請求項２または３の発明によれば、電気粘性流体が一方の電極と他方の電極との隙間を通過するときに先ず彎曲面またはテーパ面を通過することになるので、電気粘性流体の流れを円滑にすることができ、電気粘性流体内に混入した気泡が分離出現することが抑制される。
【００５５】
したがって、電気粘性流体内に混入した気泡が分離出現することを抑制する事ができるので、気泡出現に起因する放電による火花の発生をも抑制できる。すなわち、上記火花の発生による各電極同士の固着が防止される。
【００５６】
さらに、請求項４の発明によれば、特に一方の電極の端部を拡幅部に連続する円弧形状としたので、より一層電気粘性流体の流れを円滑にすることができ、上記隙間を通過した電気粘性流体が渦巻くことも抑制する事ができるので、より一層上記した気泡出現を抑制効果が高い。
【００５７】
したがって、電気粘性流体内に混入した気泡が分離出現することを抑制する事ができるので、気泡出現に起因する放電による火花の発生をも抑制できる。すなわち、より一層上記火花の発生による各電極同士の固着が防止される。
【００５８】
また、さらに、請求項５から８の発明によれば、ピストン外周に形成した一方の電極の少なくとも一端側に上記隙間が拡幅するように拡幅部を設けているので、たとえ、減衰装置に横力が負荷され、ピストンロッドが曲がり、シリンダに対しピストンが傾くことがあっても、シリンダと一方の電極が接触することが防止される。
【００５９】
したがって、シリンダと一方の電極の接触防止が可能であるので、電気粘性流体に電圧を印加できなくなり減衰作用を呈することができなくなるという事態を回避することが可能である。
【００６０】
また、シリンダに対しピストンが傾くことがあっても、隙間が拡幅するように拡幅部を設けているので、隙間が極端に狭くなるという事態が回避されるので、放電による各電極同士が固着してしまうことも防止されるので、この減衰装置にあっては、その損傷が防止され、また、上記固着に起因する減衰作用不全も防止されることとなる。
【００６１】
さらに、上記接触や固着が防止されるので、シリンダに電流が流れることによる、整備員等が感電したり、制御機器やその他の周辺機器に過電流が流れ、それら機器を損傷したりすることが防止される。
【００６２】
そして、また、請求項６または７の発明によれば、電気粘性流体が一方の電極とシリンダとの隙間を通過するときに先ず彎曲面またはテーパ部を通過することになるので、電気粘性流体の流れを円滑にすることができ、電気粘性流体内に混入した気泡が分離出現することが抑制される。
【００６３】
したがって、電気粘性流体内に混入した気泡が分離出現することを抑制する事ができるので、気泡出現に起因する放電による火花の発生をも抑制できる。すなわち、上記火花の発生によるピストンとシリンダ同士の固着が防止される。
【００６４】
さらに、請求項８の発明によれば、特にピストンの端部を拡幅部に連続する円弧形状としたので、より一層電気粘性流体の流れを円滑にすることができ、上記隙間を通過した電気粘性流体が渦巻くことも抑制する事ができるので、より一層上記した気泡出現を抑制効果が高い。
【００６５】
したがって、電気粘性流体内に混入した気泡が分離出現することを抑制する事ができるので、気泡発生に起因する放電による火花の発生をも抑制できる。すなわち、より一層上記火花の発生による各電極同士の固着が防止される。
【図面の簡単な説明】
【図１】本発明の実施の形態における減衰装置の縦断面図である。
【図２】従来の減衰装置の縦断面図である。
【符号の説明】
１  一方の電極たる電極
１ａ、１ｂ  拡幅部たる彎曲面
２  他方の電極たるシリンダ
３  ピストンロッド
４  絶縁部材
５、６  係止部材
７、８  ブッシュ
１０  電線
Ｐ  ピストン
Ｓ  シール
【図１】
2004169734.tif 000003
【図２】
2004169734.tif 000004